(57)【要約】本発明は、収集機構と貯蔵機構を備え、種々の形態の電磁エネルギーを収集、貯蔵及び放出するための装置に関する。資源を使用することなく電気エネルギーを効率的に、且つ商業的規模で供給できるようにするために、収集機構及び／又は貯蔵機構として、電気消費機器に電気エネルギーを供給するための閉じた電流回路を形成する導体（１）が設けられることが提案される。【選択図】図１ａ
2010511364.tif 000002
【特許請求の範囲】
【請求項１】
収集機構と貯蔵機構を備え、種々の形態の電磁エネルギーを収集、貯蔵及び放出するための装置であって、前記収集機構及び／又は貯蔵機構として、消費機器に電気エネルギーを供給するための閉じた電流回路を形成する導体（１）が設けられていることを特徴とする、装置。
【請求項２】
前記導体は閉じた環状構造として形成されていることを特徴とする、請求項１に記載の装置。
【請求項３】
前記閉じた環状導体（１）は、２部分、好ましくはナット（２）とねじ（３）によって結合された管留め具（４、５）からなることを特徴とする、請求項１又は２に記載の装置。
【請求項４】
前記導体（１）は正方形の底板と、基部がそれぞれ底板と導電結合され上頂点で互いに導電結合された対向する２枚の三角形の側板（６）とを有していて、本質的にピラミッド状構造として形成されていることを特徴とする、請求項１に記載の装置。
【請求項５】
前記導体（１）の形状と大きさはエネルギー源に適合されていることを特徴とする、先の請求項の１項以上に記載の装置。
【請求項６】
全エネルギーを高めるために複数の導体（１）が並列及び／又は直列に相互接続されていることを特徴とする、先の請求項の１項以上に記載の装置。
【請求項７】
エンジン、特に自動車のエンジンの排気装置における排気浄化のための請求項１〜６の１項に記載の装置の使用。
【請求項８】
エンジンの出力を高めるための請求項１〜６の１項に記載の装置の使用。
【発明の詳細な説明】
【技術分野】
【０００１】
本発明は、収集機構と貯蔵機構を備えて種々の形態の電磁エネルギーを収集、貯蔵及び放出するための装置に関する。
【０００２】
本発明は更に、エンジンの排気装置への上述の装置の使用に関する。
【０００３】
更に本発明は、エンジン出力を高めるための上述の装置の使用に関する。
【背景技術】
【０００４】
家庭における使用、更に場合によっては個人的範囲での利用のニーズに応じてエネルギーを供給することに対する需要が高まっている。必要とされるエネルギーはこれまで主として化石炭素の燃焼によって産出されてきた。その問題点はこれら資源が枯渇状態に近づき、且つ温室効果ガスをはじめとする有害物質によって環境に負荷がかかることにある。他のエネルギー源、例えば原子力の利用は、同様に有害な放射線や放射能物質が放出されるという大きなリスクを孕んでいる。
【発明の概要】
【発明が解決しようとする課題】
【０００５】
それゆえ本発明の課題は、資源を消費することなく、電気エネルギーを効率的に、且つ商業的規模で供給できる、上述の種類の装置及び使用を提供することである。
【課題を解決するための手段】
【０００６】
上述の課題を解決するために本発明では上述の種類の装置において、種々の形態の電磁エネルギーを収集、貯蔵及び放出するために、収集機構と貯蔵機構を備えた装置が提案される。この場合、収集機構及び／又は貯蔵機構に対して、電気消費機器に電気エネルギーを供給するための閉じた電流回路を形成する導体が設けられている。
【０００７】
人類の環境は絶えず大量のエネルギーに囲まれているが、それは特に意識されず、商業的に利用されることもない。これらのエネルギーは主として電磁振動として発生し、自然だけでなく人為的にも産出される。例えば、人類が宇宙で発生する宇宙線に常に囲まれていることは知られている。また、自然は大気中に大量の電荷を産出し、地球は変動する地球磁界に囲まれている。人間によって発生される電磁エネルギーの例は、放送波や無線波、及び機械の運転によって発生する電界である。驚くべきことに閉じた導体によって種々異なるエネルギー形態の利用と貯蔵が同時にできる。例えば人工磁界又は自然磁界内で導体を動かすか、又は変化する磁界に導体を暴露すると、導体中に電圧が誘導される。また、閉じた導体はアンテナとして働き、それによって適切な周波数の電磁波は電磁エネルギーに変換できる。更に導体は電荷を吸収するためのソンデとして働くことができ、電荷は分極によって電圧を生み出し、放電時に利用可能な電流を生み出す。しかし導体は単にエネルギーを吸収及び収集するだけでなく、得られたエネルギーの貯蔵媒体としても働く。一方でエネルギーは、閉じた導体に制約されて環状電流として貯蔵され得る。この場合、貯蔵時間は導体の抵抗と電圧によって決まる。導体がその静電容量によってコンデンサとして作用し、例えば外側で正の電荷を吸収し内側で負の電荷を吸収することによってもエネルギーが貯蔵され得る。このエネルギーを利用するには、電力消費機器を導体の２点、例えば内側と外側に接続すればよい。このような装置によってエネルギー需要が満たされると同時に、環境汚染の問題を簡単に解決できる。更にこのようにして供給されるエネルギーは無害であり、全く危険がない。
【０００８】
本発明は現在のエネルギー消費を低減する。このテクノロジーは、エネルギーを消費するあらゆる分野、例えば自動車、オートバイ、家庭用機器（例：自動食器洗い機、洗濯機、乾燥機、芝刈り機）、工場、牽引機械、飛行体等に用いることができる。例えば自動車やオートバイの場合は、本発明を追加の排気浄化装置としても、出力を高めるためにも使用できる。
【０００９】
上述した利点は、導体が閉じた環状構造として形成されていることによって簡単に達成できる。
【００１０】
閉じた環状導体は、２部分、好ましくはナットとねじによって結合された管留め具からなることによって廉価に作製できる。この作製形態は非常に少ない費用で実現でき、そのため個人利用にも適している。装置の設計は、多大な技術的知識を必要としない。これにより素人や開発途上国等の貧しい人々にとっても十分なエネルギー供給が可能である。
【００１１】
他の実施形態は、導体が正方形の底板と、基部がそれぞれ底板と導電結合され上頂点で互いに導電結合された対向する２枚の三角形の側板とを有していて、本質的にピラミッド状構造として形成されている。こうすることによって環状構造に比べて利用可能な面積が拡大され、それによってエネルギー収率が改善される。更なる利点は、互いに対向する２側面が開口しているピラミッド形状に由来する。これらの開口部を通って振動がピラミッド内に進入しエネルギーに変換され得る。最初に変換されなかったエネルギーは反射された後に吸収され、それによって効率が高まる。
【００１２】
導体の形状と大きさはその都度のエネルギー源に適合させることができる。それにより例えば環状構造の周上で抵抗が変化する。
【００１３】
全エネルギーを高めるために、電力消費機器が大電流を必要とするのか或いは高電圧を必要とするかに応じて帯電した複数の導体を並列又は直列に相互接続できる。もちろん若干の導体を直列に相互接続して導体パッケージを形成し、これらのパッケージを再び並列に相互接続することもできる。また、例えば閉じた環状構造がピラミッド構造と組み合わされて、直列及び／又は並列に相互接続されることによって、異なる実施形態の種々の利点を組み合わせることもできる。
【００１４】
本発明の基礎をなす課題は、本発明に係る装置を排気浄化のために、特に自動車のエンジンの排気装置に使用することによって同様に解決される。
【００１５】
ガソリンやディーゼル等の化石燃料を燃やす燃焼過程においては、特定の圧力及び温度条件下で不完全燃焼の結果として窒素酸化物及びその他の環境に有害な物質が発生する。これらの物質は、例えば酸性雨、地上付近のオゾン又は極めて一般的にスモッグの発生の原因となる。それゆえエンジン内では燃焼が完全に行われ、反応生成物として二酸化炭素と水だけ、及び場合によっては窒素が生じることが望ましい。本発明に係る装置を本発明に従ってエンジンの排気装置に使用すると、装置内に貯蔵されているエネルギーに基づき、有害物質の完全燃焼が促進されることにより排気が浄化され得る。
【００１６】
本発明の基礎をなす課題は、本発明に係る装置をエンジンの出力を高めるために使用することによって同様に解決される。
【００１７】
本発明に従いエネルギーを収集及び放出するための装置をエンジンに使用することにより、化石燃料の場合に燃焼過程を最適化でき、化石燃料の完全燃焼が行われて反応生成物として二酸化炭素と水、及び場合によって窒素が生じる。これにより化石燃料が有するエネルギーが最適に利用されるので、本発明に従い有利にはエンジンの出力が高まる。
【００１８】
以下、本発明を図面に例示して説明する。上述した他の有利な詳細は図面から容易に理解されよう。
【００１９】
図において機能的に同一の部材には等しい参照番号を付した。
【図面の簡単な説明】
【００２０】
【図１ａ】閉じた環状導体の正面図である。
【図１ｂ】図１ａに示す閉じた環状導体の側面図である。
【図１ｃ】図１ａに示す閉じた環状導体の平面図である。
【図２ａ】ピラミッド状導体の正面図である。
【図２ｂ】図２ａに示すピラミッド状導体の側面図である。
【図２ｃ】図２ａに示すピラミッド状導体の平面図である。
【発明を実施するための形態】
【００２１】
図１ａは閉じた環状導体１の正面図である。これは上側半部４と下側半部５を有する管留め具１からなる。両半部はナット２とねじ３により導電結合されている。管留め具は金属、好ましくは板金からなる。この作製形態は非常に少ない費用で実現でき、そのため個人的利用にも適している。この留め具が変化する磁界に暴露されると、その内部に電圧が誘導される。環状構造により閉じた電流回路が生じる。電圧は環状導体の抵抗によって低下するが、その抵抗は環状導体の周上で変化させることができる。電流を利用できるようにするために、それぞれ管留め具の下側半部５と上側半部４に接続端子９、８が設けられている。これらの接続端子には電流消費機器、例えば電気調理器具を接続できる。
【００２２】
管留め具が電磁振動に暴露されると、この場合は管留め具がアンテナとして作用して管留め具内に電圧が生み出される。
【００２３】
しかし留め具はエネルギーの吸収及び収集する働きをするだけでなく、貯蔵媒体としても働く。エネルギーは一方では、閉じた導体に制約されて循環する環状電流として貯蔵され得る。この場合、貯蔵時間は導体の抵抗と電圧によって決まる。また、導体がその静電容量によってコンデンサとして作用し、外側と内側でそれぞれ異なる電荷を吸収することによってもエネルギーが貯蔵され得る。
【００２４】
図１ｂ及び図１ｃは、それぞれ図１ａに示す閉じた環状導体の側面図と平面図である。
【００２５】
図２ａは、導体の他の実施形態の正面図である。この実施形態は、導体が正方形の底板（図示せず）と、基部がそれぞれ底板と導電結合され上頂点で互いに導電結合された対向する２枚の三角形の側板６とを有するピラミッド状構造として形成されている。このピラミッドは側板６を２枚のみ有しているので、２個の三角形の開口部７が生じる。底板の長さは約５〜１０ｃｍである。ピラミッド構造によって環状構造に比べて利用可能な面積が拡大される。それによってエネルギー収率が改善される。更なる利点は、このピラミッドが互いに対向する２側面に開口部７を有していることに由来する。これらの開口部を通って振動がピラミッド内に進入しエネルギーに変換され得る。最初に変換されなかったエネルギーは反射されてから吸収され、それによって効率が高まる。電流を利用できるようにするために、側板６の上側と下側にはそれぞれ電流消費機器を接続できる接続端子９、８がある。
【００２６】
上述した以外にも本発明により、環境由来の利用されていないエネルギーが経済的に利用され得る。自然エネルギー又は副産物として発生したエネルギーがコストを掛けずに収集及び貯蔵され、こうして得られた電気エネルギーが僅かなコストで商業レベルでの利用に供される。
【符号の説明】
【００２７】
１    導体
２    ナット
３    ねじ
４    留め具上側半部
５    留め具下側半部
６    測板
７    開口部
８    接続端子
９    接続端子    
【図１ａ】
2010511364.tif 000003
【図１ｂ】
2010511364.tif 000004
【図１ｃ】
2010511364.tif 000005
【図２ａ】
2010511364.tif 000006
【図２ｂ】
2010511364.tif 000007
【図２ｃ】
2010511364.tif 000008
【国際調査報告】
2010511364.tif 000009
2010511364.tif 000010
2010511364.tif 000011
2010511364.tif 000012
2010511364.tif 000013
2010511364.tif 000014